(57)【特許請求の範囲】
【請求項１】
廃棄物処分場を複数の区画に分割し、一部の区画における廃棄物の埋立て層を遮水シートによって覆いつつ、他の区画において廃棄物の埋立て作業を行いながら廃棄物を埋立ててゆく廃棄物処分場における雨水の排除方法であって、前記埋立て層を遮水シートによって覆う際に、埋立て層の上面と遮水シートとの間に空気袋を介在させ、敷設した遮水シートの上面に雨水が滞留したら、空気袋に空気を供給して膨張させ、遮水シートを持ち上げることにより雨水を排水することを特徴とする廃棄物処分場における雨水の排除方法。
【発明の詳細な説明】
【０００１】
【発明の属する技術分野】
この発明は、廃棄物処分場における雨水の排除方法に関し、特に、廃棄物処分場を複数の区画に分割し、一部の区画における廃棄物の埋立て層を遮水シートによって覆いつつ、他の区画において廃棄物の埋立て作業を行いながら廃棄物を埋立ててゆく廃棄物処分場における雨水の排除方法に関する。
【０００２】
【従来の技術】
産業廃棄物や一般廃棄物を投棄する埋立型の廃棄物処分場は、自然の地形を利用したり地盤の掘削や盛土を行って造成された凹状の地盤の内部に、廃棄物を埋め立て貯留してゆくものである。このような廃棄物処分場によれば、埋め立てた廃棄物から浸出する汚水の地下浸透による環境汚染を防止するために、処分場の底面および斜面（全面）に予め遮水工を実施することが義務付けられている。また、かかる処分場底部の遮水工としては、従来より、経済性や遮水性の面から、例えば軟質の合成樹脂系あるいはゴム系の遮水シートを敷設する方法が、一般に採用されている。
【０００３】
そして、このような廃棄物処分場では、埋立て作業中に処分場に降り注ぎ、廃棄物を浸透して浸出水となった雨水は、処分場の底部において遮水工の上面に配設された浸出水集排水管に集められ、この集排水管を介して処分場の外部に排出されることになる。
【０００４】
一方、このような従来の埋立て作業中における雨水の処理方法によれば、処分場に降り注いだ雨水のほとんどを廃棄物を通過した浸出水として排出するものであるが、これを例えば河川等の周囲の環境に流出させるためには、前もって水処理を施す必要があり、かかる大量の浸出水を処理するために、大規模な水処理施設を必要とすることになる。
【０００５】
このため、廃棄物を浸透する雨水の量を低減して、水処理施設による処理量を軽減すべく、例えば、本願出願人の出願に係る特願平９−１８８７９０号には、埋立てた廃棄物層を遮水シートで覆いつつ埋立て作業を行うことにより、廃棄物への雨水の浸透量を軽減した廃棄物の埋立て方法が提案されている。
【０００６】
すなわち、かかる埋立て方法によれば、廃棄物処分場を複数の区画に分割し、各区画において、当該区画の各埋立て層の埋立て作業が終了した後、当該区画の廃棄物を覆って遮水シートを展開敷設し、さらに上層に廃棄物を埋立ててゆく際には、他の区画の廃棄物を遮水シートで覆った状態で当該区画の遮水シートを一時撤去して埋立て作業を行った後、再び当該区画の廃棄物を覆って遮水シートを展開敷設する作業を各区画において繰り返し、前記遮水シート上に降り注いだ雨水を排除しつつ、上層に向かって順次廃棄物を廃棄物処分場内に埋立ててゆくものである。
【０００７】
【発明が解決しようとする課題】
しかしながら、上記従来の埋立て方法によれば、廃棄物を覆って敷設した遮水シートにより雨水を遮断して、廃棄物への雨水の浸透を効果的に防止することが可能になるが、その一方で、遮水シート上に降り注いだ雨水を長時間滞留させることなく排水施設に向けて速やかに流下させてゆく必要がある。
【０００８】
そこで、この発明は、このような従来の課題に着目してなされたもので、遮水シート上に滞留する雨水を当該区画から容易に強制排水して、排水施設に向けて速やかに流下させてゆくことのできる廃棄物処分場における雨水の排除方法を提供することを目的とするものである。
【０００９】
【課題を解決するための手段】
この発明は、上記目的を達成するためになされたもので、その要旨は、廃棄物処分場を複数の区画に分割し、一部の区画における廃棄物の埋立て層を遮水シートによって覆いつつ、他の区画において廃棄物の埋立て作業を行いながら廃棄物を埋立ててゆく廃棄物処分場における雨水の排除方法であって、前記埋立て層を遮水シートによって覆う際に、埋立て層の上面と遮水シートとの間に空気袋を介在させ、敷設した遮水シートの上面に雨水が滞留したら、空気袋に空気を供給して膨張させ、遮水シートを持ち上げることにより雨水を排水することを特徴とする廃棄物処分場における雨水の排除方法にある。
【００１０】
そして、この発明の廃棄物処分場における雨水の排除方法によれば、埋立て層の上面と遮水シートとの間に、未だ膨張していない状態で空気袋が介在しているので、遮水シートによって覆われる区画の当該遮水シートの上面に雨水が滞留したら、空気袋に空気を供給して膨張させ、遮水シートを持ち上げることにより、例えば当該区画の周囲に設けた排水溝に雨水を容易に流入させ、この排水溝を介して排水施設に向けて雨水を速やかに流下排水してゆくことができる。
【００１１】
【発明の実施の形態】
次に、この発明の好ましい実施の形態について、添付図面を参照しつつ詳細に説明する。この実施形態によれば、廃棄物処分場１０は、図１に示すように、自然ないしは人工的な法面１１を利用し、これの前方に盛土工により造成した主堰堤１２や継足堰堤１６との間に形成された凹状の地盤によって構成されるものである。
【００１２】
そして、この廃棄物処分場１０によれば、当該廃棄物処分場１０を複数の区画２０に分割し、各区画２０において、当該区画２０の各埋立て層の埋立て作業が終了した後、当該区画２０の廃棄物１３を覆って遮水シート１４を展開敷設し、さらに上層に廃棄物１３を埋立ててゆく際には、他の区画２０の廃棄物１３を遮水シート１４で覆った状態で当該区画２０’の遮水シート１４を一時撤去して埋立て作業を行った後、再び当該区画２０’の廃棄物１３を覆って遮水シート１４を展開敷設する作業を各区画２０において繰り返し、遮水シート１４上に降り注いだ雨水を排除しつつ、上層に向かって廃棄物１３を順次埋め立ててゆくことにより埋立て作業が行われることになる。
【００１３】
なお、この実施形態によれば、各廃棄物層は、その表面が主堰堤１２や継足堰堤１６に向かう例えば３〜５％程度の下り勾配となるように埋め立てられるとともに、かかる下り勾配の上流側に位置する区画２０から下流側に位置する区画２０に向けて順次埋立て作業が行われることにより、遮水シート１４の表面に降り注いだ雨水を、主堰堤１２や継足堰堤１６に向けてスムースに流下させることができるようになっている。
【００１４】
そして、この実施形態によれば、このようにして埋立て作業を行っている際に、降雨により廃棄物処分場１０内に雨水が降り注いだ場合でも、このような雨水の多くを速やかに処分場１０から排水して、雨水が廃棄物１３の内部に浸透するのを容易に防止することができる。
【００１５】
すなわち、埋め立てられた廃棄物１３は、その表面の略全域が遮水シート１４によって覆われているため、廃棄物１３への雨水の浸透が容易に遮断されることになるとともに、遮水シート１４によって覆われた各区画２０内において、遮水シート１４の表面に滞留する雨水は、この実施形態に係る雨水の排除方法によって、当該区画２０から排除され、処分場１０の内部から外部に雨水を排水するための、排水施設に向かって流下してゆくことになる。
【００１６】
ここで、排水施設は、遮水シート１４により覆われた廃棄物１３と上記主堰堤１２や継足堰堤１６とのすり付け部分などに設けられた、排水管路２５、排水タンク１９や排水ポンプ２６、あるいは主堰堤１２を構成する盛土の内部に設けられたマンホール１８やこれらのマンホール１８間の連絡管路２３、排水トンネル１７などによって構成されることになる。
【００１７】
そして、この実施形態によれば、各区画２０の廃棄物１３の埋立て層を遮水シート１４によって覆う際に、図２に示すように、この区画２０の周囲に排水溝３０を設けるとともに、埋立て層の上面と遮水シート１４との間に空気袋３１を未だ膨張していない状態で介在させておく。
【００１８】
なお、排水溝３０は、主堰堤１２や継足堰堤１６に向かう下り勾配に沿った複数の区画をひとまとまりとして、これらの周囲に配設されることにより、上下流方向の両端に位置する区画２０は、その３辺が排水溝３０に接続し、これらの間の区画２０は、その両側の２辺が排水溝３０に接続することになる。すなわち、この発明における排水溝が設けられる区画の周囲とは、必ずしも各区画２０の全周を排水溝３０に直接接続することを意味するものではない。
【００１９】
また、各区画２０に空気袋３１を設置するには、例えば、各廃棄物層の埋立て作業が終了したら、これの上面に空気袋３１を配設し、しかる後に配設した空気袋３１を覆って遮水シート１４を敷設する方法の他、遮水シート１４の内側面に予め空気袋３１を張り付けておき、遮水シート１４の敷設作業とともに空気袋３１を設置するようにすることもできる。
【００２０】
ここで、各区画２０において、空気袋３１は、埋立て層の上面に、これの下り勾配に沿って延長するようにして、各５体、並んで配置されるとともに、中央の空気袋３１から側方の空気袋３１に向かって、膨張した後の径の大きさが順次小さくなるようなものが用いられている。またこれらの空気袋３１には、各々エアーホースが接続され、このエアーホースを介してコンプレッサーなどから空気が供給されるとともに、各空気袋３１には空気抜き弁の取り付けられていて、膨張した空気袋３１から空気を取り除いて、適宜平坦な状態に戻すことができるようになっている。
【００２１】
そして、この実施形態によれば、雨天時における降雨量が少ない間は、雨水は、埋立て層の下り勾配により遮水シート１４の表面に沿って自然流下し、排水溝３０の下流側端部に設けた排水口３２を介して排水溝３０や排水升３３に流入した後、排水施設に向かって流下してゆく（図２、Ａ参照）。
【００２２】
一方、降雨量が増加して排水口３２から排除しきれなくなると、遮水シート１４の上面には、雨水が徐々に滞留してゆくことになるが（図２、Ｂ参照）、滞留量が増加したら、空気袋３１に空気を供給して膨張させ、遮水シート１４を持ち上げることにより雨水を排水溝３０に流入させて（図２、Ｃ参照）、排水施設に向かって雨水を容易に排水してゆくことができる。なお、図２において、符号３５で示されるものは、遮水シート１４を敷設しておく際に適宜用いられる重錘であって、空気袋３１の膨張により遮水シート１４が持ち上げられる際に、容易に除去されることになる。
【００２３】
ここで、空気袋３１への空気の供給作業は、排水溝３０によって囲まれる複数の区画２０のうち、上流側の区画２０から下流側の区画２０に向かって行うことにより、雨水の逆流を容易に防止することができるとともに、各区画２０における５体の空気袋３１を中央の空気袋３１から側方の空気袋３１に向かって順次膨張してゆくことにより、効率良くよく排水溝３０への雨水の排水を行うことができる。
【００２４】
すなわち、この実施形態によれば、遮水シート１４上に滞留する雨水を容易に強制排水して、排水施設に向けて速やかに流下させてゆくことができる。
【００２５】
また、滞留する雨水を排水したら、空気袋３１から空気を抜いて、再び雨水を滞留させ得る状態に戻すことができるとともに、滞留する雨水を、例えば排水口３２を閉塞して貯留しておくことにより、撒水等として利用することもできる。
【００２６】
なお、この発明は上記実施形態の実施の態様のものに限定されるものではなく、請求項に記載された構成の範囲内において種々に変更して採用することができる。例えば、遮水シートが敷設される埋立て層の表面には下り勾配が設けられている必要は必ずしもなく、埋立て層の勾配が未だ整えられていない状態において採用することもできる。また、遮水シートによって覆われる区画の周囲に排水溝を設ける必要は必ずしもない。
【００２７】
【発明の効果】
以上詳細に説明したように、この発明の廃棄物処分場における雨水の排除方法によれば、当該区画の埋立て層を遮水シートによって覆う際に、埋立て層の上面と遮水シートとの間に空気袋を介在させ、敷設した遮水シートの上面に雨水が堆積したら、空気袋に空気を供給して膨張させ、遮水シートを持ち上げることにより雨水を排水するので、遮水シート上に滞留する雨水を当該区画から容易に強制排水して、排水施設に向けて速やかに流下させるてゆくことができる。
【図面の簡単な説明】
【図１】この発明の一実施形態にかかる雨水の排除方法を採用した廃棄物処分場を説明する概念図である。
【図２】この発明の一実施形態にかかる雨水の排除方法を説明する概念図である。
【符号の説明】
１０  廃棄物処分場
１２  主堰堤
１３  廃棄物
１４  遮水シート
２０，２０’  区画
３０  排水溝
３１  空気袋
【図１】
0003758327.tif 000002
【図２】
0003758327.tif 000003